(57)【要約】【課題】表示開始時のライブビュー画像の明るさを適切に制御すること。【解決手段】撮像装置１，２は、被写体像を撮像し、画像データを出力する撮像素子２０と、撮像素子２０上に被写体像を結像させる撮像光学系ＬＳと、被写体像を観察するための観察光学系８と、撮像光学系ＬＳを通過した被写体光を観察光学系８へ導く第１光路および被写体光を撮像素子２０へ導く第２光路を切替える光路切替手段４と、第２光路に切替えられた状態で撮像素子２０が繰り返し撮像して出力する画像データに基づく再生画像を表示装置２３に逐次表示させる表示制御手段と、第１光路を通過する光を受光する受光素子１１と、観察光学系８の光路中に設けられ、該光路における光の通過／遮光を切替える光路開閉手段２４と、観察光学系８の光路が遮光され、かつ第１光路に切替えられている状態において受光素子１１で受光される信号を用いて、逐次表示のための繰り返し撮像の開始時に必要な露出演算を行う演算手段とを備える。【選択図】図１
2010074743.tif 000002
【特許請求の範囲】
【請求項１】
被写体像を撮像し、画像データを出力する撮像素子と、
前記撮像素子上に被写体像を結像させる撮像光学系と、
被写体像を観察するための観察光学系と、
前記撮像光学系を通過した被写体光を前記観察光学系へ導く第１光路および前記被写体光を前記撮像素子へ導く第２光路を切替える光路切替手段と、
前記第２光路に切替えられた状態で前記撮像素子が繰り返し撮像して出力する画像データに基づく再生画像を表示装置に逐次表示させる表示制御手段と、
前記第１光路を通過する光を受光する受光素子と、
前記観察光学系の光路中に設けられ、該光路における光の通過／遮光を切替える光路開閉手段と、
前記観察光学系の光路が遮光され、かつ前記第１光路に切替えられている状態において前記受光素子で受光される信号を用いて、前記逐次表示のための繰り返し撮像の開始時に必要な露出演算を行う演算手段とを備えることを特徴とする撮像装置。
【請求項２】
請求項１に記載の撮像装置において、
前記演算手段は、前記繰り返し撮像の少なくとも１回目に対する露出演算を行うことを特徴とする撮像装置。
【請求項３】
請求項１に記載の撮像装置において、
前記光路開閉手段に前記観察光学系の光路を遮光させてから前記第２光路へ切り替えるように前記光路開閉手段および前記光路切替手段をそれぞれ制御する制御手段を備えることを特徴とする撮像装置。
【請求項４】
請求項３に記載の撮像装置において、
前記演算手段は、前記遮光後で前記第２光路へ切替え前の受光信号を用いて前記露出演算を行うことを特徴とする撮像装置。
【請求項５】
請求項１に記載の撮像装置において、
前記光路開閉手段へ前記観察光学系の光路を遮光する指示を送ってから所定時間経過後に前記第２光路へ切り替えるように前記光路開閉手段および前記光路切替手段をそれぞれ制御する制御手段を備えることを特徴とする撮像装置。
【請求項６】
請求項５に記載の撮像装置において、
前記演算手段は、前記所定時間経過後で前記第２光路へ切替え前の受光信号を用いて前記露出演算を行うことを特徴とする撮像装置。
【請求項７】
請求項１に記載の撮像装置において、
前記光路開閉手段へ前記観察光学系の光路を遮光する指示を送った後に前記受光素子で受光される信号が減少後に前記第２光路へ切り替えるように前記光路開閉手段および前記光路切替手段をそれぞれ制御する制御手段を備えることを特徴とする撮像装置。
【請求項８】
請求項７に記載の撮像装置において、
前記演算手段は、前記減少後で前記第２光路へ切替え前の受光信号を用いて前記露出演算を行うことを特徴とする撮像装置。
【発明の詳細な説明】
【技術分野】
【０００１】
本発明は、光学ファインダーを備え、モニタ表示を行う撮像装置に関する。
【背景技術】
【０００２】
ファインダー光学系を介して被写体像を観察させるファインダー観察モードと、撮像素子で撮像されている画像信号に基づいて表示装置に再生表示するライブビューモードとを切替可能な撮像装置が知られている（特許文献１参照）。
【０００３】
【特許文献１】特開２００７−４１１５０号公報
【発明の開示】
【発明が解決しようとする課題】
【０００４】
ファインダー観察モードからライブビューモードへ切替える場合、できるだけ早くライブビュー画像の表示を開始させるのが好ましい。このため、ファインダー光学系側に配設されている測光素子によって取得されたライブビューモードへの切替え直前の測光情報に基づいて、ライブビューモードへの切替え直後の撮像素子の露出条件が決定される。この場合に接眼レンズからファインダー光学系へ外光が侵入すると、表示開始時のライブビュー画像の明るさが適正時より暗くなるという問題があった。
【課題を解決するための手段】
【０００５】
本発明による撮像装置は、被写体像を撮像し、画像データを出力する撮像素子と、撮像素子上に被写体像を結像させる撮像光学系と、被写体像を観察するための観察光学系と、撮像光学系を通過した被写体光を観察光学系へ導く第１光路および被写体光を撮像素子へ導く第２光路を切替える光路切替手段と、第２光路に切替えられた状態で撮像素子が繰り返し撮像して出力する画像データに基づく再生画像を表示装置に逐次表示させる表示制御手段と、第１光路を通過する光を受光する受光素子と、観察光学系の光路中に設けられ、該光路における光の通過／遮光を切替える光路開閉手段と、観察光学系の光路が遮光され、かつ第１光路に切替えられている状態において受光素子で受光される信号を用いて、逐次表示のための繰り返し撮像の開始時に必要な露出演算を行う演算手段とを備えることを特徴とする。
【発明の効果】
【０００６】
本発明による撮像装置では、表示開始時のライブビュー画像の明るさを適切に制御できる。
【発明を実施するための最良の形態】
【０００７】
以下、図面を参照して本発明を実施するための最良の形態について説明する。図１〜図３は、本発明の一実施の形態による一眼レフ電子カメラシステムの構成を説明する図である。図１において、カメラ本体１のレンズマウント（不図示）に対し、着脱可能に構成される撮影レンズの鏡筒２が装着されている。
【０００８】
被写体からの光Ｌは、鏡筒２のレンズ光学系ＬＳおよび絞り３を介してカメラ本体１へ入射される。カメラ本体１に入射した被写体光Ｌは、レリーズ操作前はクイックリターンミラー（以下メインミラーと呼ぶ）４によって上方のファインダー部へ導かれてフォーカシングスクリーン５に結像する。また、カメラ本体１に入射した被写体光Ｌの一部はサブミラー１５で下方へ反射され、焦点検出用センサ１６へ導かれる。焦点検出用センサ１６による検出信号は、後述するＡＦ制御部１１０（図４）によって焦点検出演算に用いられる。
【０００９】
レンズ駆動装置１７は、モータ、連結ギヤおよびカップリングなどで構成され、焦点調節時にレンズ光学系ＬＳに含まれるフォーカスレンズを合焦位置へ移動させるための駆動力を発生し、鏡筒２側へ伝達する。合焦位置へフォーカスレンズを移動させる場合の移動方向および移動量は、ＡＦ制御部１１０（図４）が行う焦点検出演算に基づいて決定される。
【００１０】
フォーカシングスクリーン５に結像した被写体光Ｌはさらに、ＰＮ液晶６を介してペンタプリズム７へ入射される。ＰＮ液晶６はポリマーネットワーク液晶によって構成され、通電されると光を透過し、非通電にされると光を拡散する。カメラ本体１は、上記焦点検出を行う領域（フォーカスポイントと呼ぶ）を示す表示をＰＮ液晶６によって行う。ＰＮ液晶６による表示内容は、ファインダー部による光学的な観察像に重ねて、接眼窓２６から接眼レンズ群８を通して観察される。
【００１１】
アイピースシャッター２４は、開放時（図１）に被写体光を通過させて観察像を観察可能にする。一方、閉鎖時（図２、図３）は接眼窓２６から接眼レンズ群８側へ侵入する外光を遮断する。なお、アイピースシャッター２４の閉鎖時は被写体光も遮光されるので、ファインダー部による観察像を観察することができない。
【００１２】
不図示のアイピースシャッター駆動機構は、後述するＭＰＵ１０６（図４）からの閉鎖指示に応じてアイピースシャッター２４を閉駆動する。また、ＭＰＵ１０６（図４）からの開放指示に応じてアイピースシャッター２４を開駆動する。アイセンサ２５は、接眼窓２６へ物体（カメラ使用者の顔）が近接しているか否かを検出するためのセンサであり、物体の検出状況は、ＭＰＵ１０６（図４）へ出力される。本実施の形態においては、使用者が接眼窓２６を覗いているか否かの判定に用いている。アイセンサ２５は、物体の近接を検出可能であればどのようなものでもよい。本実施の形態においては、アイセンサ２５は、投光素子と、該投光素子が投光した光が近接した物体に反射した反射光を受光する受光素子とからなり、投光素子からの光の反射光の受光量が所定値以上の場合は、使用者が接眼窓２６を覗いていると判定する。
【００１３】
ペンタプリズム７は入射された被写体光Ｌを接眼レンズ群８へ導く一方、その一部をプリズム９へも導く。プリズム９へ入射された光は、結像レンズ１０を介して測光用センサ１１へ入射される。測光用センサ１１は、ファインダー部による観察像と略等しい範囲の被写体像を撮像する。測光用センサ１１は、被写体像の明るさに応じた光電変換信号を出力する。
【００１４】
レリーズ操作後はメインミラー４が上方へ回動し（ミラーアップ）、被写体光Ｌはシャッター１８を介して撮像素子２０へ導かれ、その撮像面上に被写体像を結像する。撮像素子２０は、画素に対応する複数の光電変換素子を備えたＣＣＤイメージセンサなどによって構成される。撮像素子２０は、撮像面上に結像されている被写体像を撮像し、被写体像の明るさに応じた光電変換信号を出力する。
【００１５】
ファインダー内液晶１３は、撮影に関する露出制御値などの情報を表示する。プリズム１２がファインダー内液晶１３の前（図１〜図３において左方）に配設されることにより、ファインダー内液晶１３による表示内容が、接眼レンズ群８を通してファインダー部による光学像と別に観察される。ファインダー内バックライト１４は、ファインダー内液晶１３を照明する。
【００１６】
デジタル基板２２には、図４に示すＭＰＵ１０６、タイミング回路１０１、Ａ／Ｄ変換回路１０２およびＡＳＩＣ１０３などの回路が実装される。液晶表示部２３はカメラ本体１の背面側（図１〜図３において右側）に配設される。液晶表示部２３は、撮影画像や操作メニュー画面などを表示する。
【００１７】
図４は、上述した一眼レフ電子カメラシステムの回路構成を例示するブロック図である。カメラ本体１には、タイミング回路(TG)１０１と、Ａ／Ｄ変換回路１０２と、撮像素子２０と、ＡＳＩＣ１０３と、ＲＡＭ１０４と、液晶表示部２３と、ＭＰＵ１０６と、シャッター駆動機構１０７と、ミラー駆動機構１０８と、操作部材１０９と、ＡＦ制御部１１０と、ＡＥ制御部１１１とが設けられ、着脱可能な記録媒体１０５が実装されている。
【００１８】
＜カメラ本体＞
タイミング回路(TG)１０１は所定のタイミング信号を発生し、Ａ／Ｄ変換回路１０２、ＡＳＩＣ１０３および撮像素子２０のそれぞれにタイミング信号を供給する。Ａ／Ｄ変換回路１０２は、撮像素子２０からの光電変換信号（アナログ画像信号）をディジタル信号に変換する。ＡＳＩＣ１０３は、ディジタル変換後の画像信号に所定の画像処理を施し、さらに必要に応じて圧縮処理を施す。
【００１９】
ＲＡＭ１０４は、ＡＳＩＣ１０３による処理時に画像データを一時保存する作業用メモリである。記録媒体１０５は、ＡＳＩＣ１０３による処理後の画像データを画像ファイルとして保存する不揮発性メモリなどで構成される。液晶表示部２３は、ＡＳＩＣ１０３による処理後の画像データによる再生画像を表示する。
【００２０】
ＭＰＵ１０６はマイクロプロセッサであり、各ブロックから出力される信号を入力して所定の演算を行い、演算結果に基づく制御信号を各ブロックへ出力する。ＭＰＵ１０６およびＡＳＩＣ１０３は、シリアル通信にてお互いの制御信号を送受する。
【００２１】
シャッター駆動機構１０７は、ＭＰＵ１０６から送出される指示に応じてフォーカルプレーンシャッター１８（図１〜図３）のチャージおよび駆動制御を行う。ミラー駆動機構１０８は、ＭＰＵ１０６から送出される指示に応じて、メインミラー４のミラーアップ駆動、およびミラーダウン駆動を制御する。
【００２２】
操作部材１０９は、各種設定および選択操作に応じた設定・切換え信号をＭＰＵ１０６へ出力する。操作部材１０９には、露出演算モード（Ｐモード、Ｓモード、Ａモード、Ｍモード）を設定するための露出モード設定ダイヤル、撮像感度（ＩＳＯ感度）を設定するための感度設定ダイヤル、ライブビュースイッチ、ＡＦスイッチ、半押しスイッチおよび全押しスイッチなどが含まれる。
【００２３】
Ｐモードは、所定のプログラム線図にしたがってシャッター速度および絞り値を自動制御するモードである。Ｓモードは、設定されているシャッター速度に応じて絞り値を自動制御するモードである。Ａモードは、設定されている絞り値に応じてシャッター速度を自動制御するモードである。Ｍモードは、設定されているシャッター速度および絞り値を用いて適正露出との偏差を演算するマニュアルモードである。
【００２４】
ライブビュースイッチは、後述するライブビュー表示動作を手動で開始／終了させるためのスイッチである。なお、アイセンサ２５の出力信号変化に基づいてライブビュー表示動作を自動で開始／終了させることも可能に構成されている。ＡＦスイッチは、自動焦点調節（ＡＦ）動作を開始させるためのスイッチである。
【００２５】
半押しスイッチおよび全押しスイッチは、レリーズボタン（不図示）の押下操作に連動して、それぞれがオン信号をＭＰＵ１０６へ出力する。半押しスイッチからの半押しオン信号は、レリーズボタンが通常ストロークの半分程度まで押し下げ操作されると出力され、半ストロークの押し下げ操作解除で出力が解除される。全押しスイッチからの全押しオン信号は、レリーズボタンが通常ストロークまで押し下げ操作されると出力され、通常ストロークの押し下げ操作が解除されると出力が解除される。
【００２６】
ＡＦ制御部１１０は焦点検出用センサ１６（図１〜図３）を含む。ＡＦ制御部１１０は、焦点検出用センサ１６による検出信号を用いて公知の位相差方式の焦点検出演算を行う。この演算によって鏡筒２による焦点調節状態（デフォーカス量）を求め、デフォーカス量に応じてレンズ光学系ＬＳを構成するフォーカスレンズ（不図示）の移動量を算出する。フォーカスレンズの移動量を示す信号は、ＭＰＵ１０６を介して鏡筒２側へ送信される。
【００２７】
ＡＥ制御部１１１は測光用センサ１１（図１〜図３）を含む。ＡＥ制御部１１１は、測光用センサ１１による検出信号を用いて被写体輝度を算出する。ＡＥ制御部１１１はさらに、上記感度設定ダイヤルで設定されている撮像感度、ＭＰＵ１０６で取得されるレンズ情報、および算出した被写体輝度を用いて、上記露出モード設定ダイヤルで設定されている露出演算モードによる演算を行い、絞り値ＡＶおよびシャッター速度ＴＶを決定する。
【００２８】
ＭＰＵ１０６は、カメラ本体１に装着されている鏡筒２側のレンズＣＰＵ５０１との間で通信を行う。カメラ本体１および鏡筒２間の通信により、絞り値やレンズデータなどのレンズ情報が鏡筒２からカメラ本体１へ送信される一方、上記フォーカスレンズの移動量や駆動指示などのレンズ制御情報がカメラ本体１から鏡筒２側へ送信される。
【００２９】
＜鏡筒＞
鏡筒２には、レンズＣＰＵ５０１と、フォーカス駆動機構５０２と、絞り駆動機構５０３とが設けられている。レンズＣＰＵ５０１は、カメラ本体１側のＭＰＵ１０６との間で通信を行う。レンズＣＰＵ５０１は、絞り値やレンズデータなどのレンズ情報をカメラ本体１側へ送信する一方、上記フォーカスレンズの移動量や駆動指示などのレンズ制御情報をカメラ本体１から取得する。
【００３０】
フォーカス駆動機構５０２は、レンズＣＰＵ５０１から送出される指示に応じて、カメラ本体１側から伝達された駆動力でフォーカスレンズを所定方向へ所定量移動させる。絞り駆動機構５０３は、レンズＣＰＵ５０１から送出される指示に応じた絞り値にするように絞り３（図１〜図３）を所定段数駆動する。
【００３１】
＜ライブビュー＞
ライブビュー表示は、撮影指示前に撮像素子２０によって所定の時間間隔（たとえば３０フレーム／毎秒）で繰り返し撮像される画像を液晶表示部２３に逐次再生表示させるモニタ用画像の表示のことをいう。メインミラー４がアップ時（図３）は被写体光束がファインダ部へ導かれないため、撮影者は接眼レンズ群８を介して被写体像を確認できない。そこで、カメラ本体１の液晶表示部２３にモニタ用画像を表示させ、被写体像を液晶表示部２３で観察できるようにする。
【００３２】
ＭＰＵ１０６は、ライブビュー表示時にアイピースシャッター２４を閉鎖させる。これにより、接眼窓２６からカメラ本体１内へ侵入した逆入光が測光用センサ１１へ回り込んだり、撮像素子２０の撮像面へ回り込んだりすることに起因する悪影響を防ぐ。
【００３３】
ＭＰＵ１０６はさらに、ライブビュー表示時に通常撮影用（ファインダー観察用）の駆動信号からライブビュー用の駆動信号への切替えをＡＳＩＣ１０３へ指示する。すると、タイミング回路(TG)１０１がライブビュー用の駆動信号を撮像素子２０、Ａ／Ｄ変換回路１０２およびＡＳＩＣ１０３へ供給する。ＲＡＭ１０４は、ＡＳＩＣ１０３が画像処理する前、画像処理した後、および画像処理途中の画像データを一時的に格納するように制御される。これにより、前フレームの撮像画像のデータに対する処理の終了を待たずに次フレームの撮像が可能にされる。処理が終了したフレームの画像から順に表示データが生成され、液晶表示部２３に逐次表示される（ライブビュー表示）。
【００３４】
＜ライブビュー時のＡＥ（自動露出）演算＞
メインミラー４がアップ時は被写体光Ｌが測光用センサ１１（図３）へ導かれないため、測光用センサ１１を用いた露出演算を行うことができない。そこで、ライブビュー表示時に撮像素子２０で取得される画像信号に基づいて露出演算を行う。ＭＰＵ１０６は、たとえば、画像を所定数（たとえば縦６×横８＝４８）の領域に分割し、各分割領域に含まれる信号値の平均値を算出する。ＭＰＵ１０６は、算出した平均値が所定の判定閾値を超える領域を上記所定数の領域から抽出し、抽出領域における平均値をさらに平均して得た値を被写体輝度情報とする。
【００３５】
ＭＰＵ１０６は被写体輝度情報をＡＥ制御部１１１へ送る。ＡＥ制御部１１１は、設定されている撮像感度、ＭＰＵ１０６で取得されるレンズ情報、およびＭＰＵ１０６から取得した被写体輝度を用いて露出演算を行い、絞り値ＡＶおよびシャッター速度ＴＶを決定する。
【００３６】
本実施形態は、上記一眼レフカメラシステムにおけるライブビューモードへの切替／解除時の動作に特徴を有するので、以下、このための制御を中心に説明する。
【００３７】
＜自動切替え＞  
本実施形態のカメラ本体１は、アイセンサ２５からの出力信号の変化に基づいてライブビューモードへの切替（ライブビュー表示の開始）／解除（ライブビュー表示の終了）を自動的に行う自動切替えモードを備える。アイセンサ２５による検出信号は、撮影者の眼（顔）が接眼窓２６に近接した場合に減少して所定値未満になり、撮影者の眼（顔）が接眼窓２６から離れた場合に増加して所定値以上になる。
【００３８】
自動切替えモードでは、撮影者の眼（顔）が接眼窓２６に近接している場合にライブビューモードを解除（すなわち、ファインダー観察モードへの切替え）し、撮影者の眼（顔）が接眼窓２６から離れた場合にライブビューモードへの切替えを行う。
【００３９】
図５は、ＭＰＵ１０６が自動切替えモード時に実行する処理の流れを説明するフローチャートである。ＭＰＵ１０６は、操作メニュー設定において「自動切替えモード」がオン設定された場合に、図５による処理を行うプログラムを起動する。
【００４０】
図５のステップＳ１０において、ＭＰＵ１０６は、アイセンサ２５からの出力信号の変化に基づいて「顔なし」か否かを判定する。ＭＰＵ１０６は、アイセンサ２５の出力信号が所定値以上の場合にステップＳ１０を肯定判定してステップＳ２０へ進む。ＭＰＵ１０６は、アイセンサ２５の出力信号が所定値未満の場合にステップＳ１０を否定判定してステップＳ１７０へ進む。
【００４１】
ステップＳ２０において、ＭＰＵ１０６はアイピースシャッター駆動機構（不図示）へ指示を送り、アイピースシャッター２４を閉駆動させてステップＳ３０へ進む。ステップＳ３０において、ＭＰＵ１０６はＡＥ制御部１１１へ指示を送り、測光用センサ１１による検出信号を用いて測光を行わせる。ＡＥ制御部１１１は、前記検出信号に基づいて算出した被写体輝度、およびＭＰＵ１０６で取得されるレンズ情報を用いて所定の演算を行い、ライブビュー開始時に必要な撮像素子２０の露光条件（ライブビュー画像用の蓄積時間、撮像感度など）を決定する。
【００４２】
ステップＳ４０において、ＭＰＵ１０６はミラー駆動機構１０８へ指示を送り、メインミラー４のアップ駆動を開始させてステップＳ５０へ進む。ステップＳ５０において、ＭＰＵ１０６は上述したライブビュー表示を開始させてステップＳ６０へ進む。ステップＳ６０において、ＭＰＵ１０６は、ライブビュー表示時に取得される画像信号に基づいて測光を行う。ＭＰＵ１０６は、前記画像信号に基づいて上記ライブビュー時のＡＥ（自動露出）演算を行うことによって被写体輝度情報を算出し、ステップＳ７０へ進む。
【００４３】
ステップＳ７０において、ＭＰＵ１０６はＡＥ制御部１１１へ被写体輝度情報および該被写体輝度情報を用いて露出演算するように指示を送り、絞り値ＡＶおよびシャッター速度ＴＶを決定させてステップＳ８０へ進む。
【００４４】
ステップＳ８０において、ＭＰＵ１０６は、レリーズスイッチがＯＮ操作されたか否かを判定する。ＭＰＵ１０６は、操作部材１０９を構成する全押しスイッチから全押しオン信号が入力された場合にステップＳ８０を肯定判定してステップＳ９０へ進む。ＭＰＵ１０６は、全押しスイッチから全押しオン信号が入力されない場合には、ステップＳ８０を否定判定してステップＳ１００へ進む。
【００４５】
ステップＳ９０において、ＭＰＵ１０６は撮影処理を行ってステップＳ１００へ進む。撮影処理の詳細については後述する。ステップＳ１００において、ＭＰＵ１０６は、アイセンサ２５からの出力信号の変化に基づいて「顔なし」か否かを判定する。ＭＰＵ１０６は、アイセンサ２５の出力信号が所定値以上の場合にステップＳ１００を肯定判定してステップＳ１１０へ進む。ＭＰＵ１０６は、アイセンサ２５の出力信号が所定値未満の場合にはステップＳ１００を否定判定し、ステップＳ１５０へ進む。
【００４６】
ステップＳ１１０において、ＭＰＵ１０６は終了操作されたか否かを判定する。ＭＰＵ１０６は、操作メニュー設定において「自動切替えモード」がオフ設定された場合にステップＳ１１０を肯定判定してステップＳ１２０へ進む。ＭＰＵ１０６は、「自動切替えモード」がオフ設定されない場合にはステップＳ１１０を否定判定してステップＳ６０へ戻る。ステップＳ６０へ戻る場合はライブビュー表示を継続する。
【００４７】
ステップＳ１２０において、ＭＰＵ１０６はライブビュー表示を終了させてステップＳ１３０へ進む。ステップＳ１３０において、ＭＰＵ１０６はアイピースシャッター駆動機構（不図示）へ指示を送り、アイピースシャッター２４を開駆動させてステップＳ１４０へ進む。ステップＳ１４０において、ＭＰＵ１０６はミラー駆動機構１０８へ指示を送り、メインミラー４のダウン駆動を開始させて図５による処理を終了する。
【００４８】
ステップＳ１００を否定判定して進むステップＳ１５０において、ＭＰＵ１０６はライブビュー表示を終了させてステップＳ１６０へ進む。ステップＳ１６０において、ＭＰＵ１０６はアイピースシャッター駆動機構（不図示）へ指示を送り、アイピースシャッター２４を開駆動させてステップＳ１７０へ進む。ステップＳ１７０において、ＭＰＵ１０６はミラー駆動機構１０８へ指示を送り、メインミラー４のダウン駆動を開始させてステップＳ１８０へ進む。
【００４９】
ステップＳ１８０において、ＭＰＵ１０６はＡＥ制御部１１１へ指示を送り、測光用センサ１１による検出信号を用いて測光を行わせてステップＳ１９０へ進む。ＡＥ制御部１１１は、前記検出信号に基づいてＡＥ（自動露出）演算を行うことにより、被写体輝度情報を算出する。
【００５０】
ステップＳ１９０において、ＭＰＵ１０６はＡＥ制御部１１１へ指示を送り、絞り値ＡＶおよびシャッター速度ＴＶを決定させてステップＳ２００へ進む。
【００５１】
ステップＳ２００において、ＭＰＵ１０６は、レリーズスイッチがＯＮ操作されたか否かを判定する。ＭＰＵ１０６は、操作部材１０９を構成する全押しスイッチから全押しオン信号が入力された場合にステップＳ２００を肯定判定してステップＳ２１０へ進む。ＭＰＵ１０６は、全押しスイッチから全押しオン信号が入力されない場合には、ステップＳ２００を否定判定してステップＳ１０へ戻る。
【００５２】
ステップＳ２１０において、ＭＰＵ１０６は撮影処理を行ってステップＳ２２０へ進む。撮影処理の詳細については後述する。ステップＳ２２０において、ＭＰＵ１０６は終了操作されたか否かを判定する。ＭＰＵ１０６は、操作メニュー設定において「自動切替えモード」がオフ設定された場合にステップＳ２２０を肯定判定して図５による処理を終了する。ＭＰＵ１０６は、「自動切替えモード」がオフ設定されない場合にはステップＳ２２０を否定判定してステップＳ１０へ戻る。
【００５３】
＜ライブビューモードでの撮影処理＞
ライブビューモードにおける撮影処理の流れについて、図６に例示するフローチャートを参照して説明する。図６のステップＳ９１において、ＭＰＵ１０６は、撮像素子２０を初期化（電荷排出など）させてステップＳ９２へ進む。ステップＳ９２において、ＭＰＵ１０６は撮像素子２０に撮影用の電荷蓄積および蓄積電荷の掃き出しをさせてステップＳ９３へ進む。
【００５４】
ステップＳ９３において、ＭＰＵ１０６はＡＳＩＣ１０３へ指示を送り、撮像画像に対して所定の画像処理を行わせてステップＳ９４へ進む。
【００５５】
ステップＳ９４において、ＭＰＵ１０６はＡＳＩＣ１０３へ指示を送り、画像ファイルを記録媒体１０５に記録させて図６による処理を終了する。
【００５６】
＜ファインダー観察モードでの撮影処理＞
ファインダー観察モードにおける撮影処理の流れについて、図７に例示するフローチャートを参照して説明する。図７のステップＳ２１１において、ＭＰＵ１０６はミラー駆動機構１０８へ指示を送り、メインミラー４のアップ駆動を開始させてステップＳ２１２へ進む。
【００５７】
ステップＳ２１２において、ＭＰＵ１０６は、撮像素子２０を初期化（電荷排出など）させてステップＳ２１３へ進む。ステップＳ２１３において、ＭＰＵ１０６は撮像素子２０に撮影用の電荷蓄積および蓄積電荷の掃き出しをさせてステップＳ２１４へ進む。
【００５８】
ステップＳ２１４において、ＭＰＵ１０６はミラー駆動機構１０８へ指示を送り、メインミラー４のダウン駆動を開始させてステップＳ２１５へ進む。ステップＳ２１５において、ＭＰＵ１０６はＡＳＩＣ１０３へ指示を送り、撮像画像に対して所定の画像処理を行わせてステップＳ２１６へ進む。
【００５９】
ステップＳ２１６において、ＭＰＵ１０６はＡＳＩＣ１０３へ指示を送り、画像ファイルを記録媒体１０５に記録させて図７による処理を終了する。
【００６０】
＜手動切替え＞  
操作メニュー設定において「自動切替えモード」がオフ設定された場合のＭＰＵ１０６は、操作部材１０９を構成するライブビュースイッチ（不図示）から操作信号が入力された場合にライブビューモードへ切替える。ＭＰＵ１０６は、ライブビュースイッチ（不図示）から再び操作信号が入力された場合にはライブビューモードを解除（すなわち、ファインダー観察モードへの切替え）する。
【００６１】
図８は、ＭＰＵ１０６が手動切替え時に実行する処理の流れを説明するフローチャートである。ＭＰＵ１０６は、操作メニュー設定において「自動切替えモード」がオフ設定された場合に図８による処理を行うプログラムを起動する。
【００６２】
図８による処理と図５による処理とは、ステップＳ１０ＢおよびステップＳ１００Ｂの処理において相違するので、これら相違点を中心に説明する。
【００６３】
ステップＳ１０Ｂにおいて、ＭＰＵ１０６はライブビュースイッチがオンされているか否かを判定する。ＭＰＵ１０６は、操作部材１０９を構成するライブビュースイッチ（不図示）からオン操作信号が入力された場合にステップＳ１０Ｂを肯定判定してステップＳ２０へ進む。ＭＰＵ１０６は、操作部材１０９を構成するライブビュースイッチ（不図示）からオン操作信号が入力されていない場合にはステップＳ１０Ｂを否定判定し、ステップＳ１８０へ進む。
【００６４】
ステップＳ１００Ｂにおいて、ＭＰＵ１０６はライブビュースイッチがオンされているか否かを判定する。ＭＰＵ１０６は、操作部材１０９を構成するライブビュースイッチ（不図示）からオン操作信号が入力されている場合にステップＳ１００Ｂを肯定判定してステップＳ１１０へ進む。ＭＰＵ１０６は、操作部材１０９を構成するライブビュースイッチ（不図示）からオン操作信号が入力されていない場合にはステップＳ１００Ｂを否定判定し、ステップＳ１５０へ進む。
【００６５】
以上説明した実施形態によれば、次の作用効果が得られる。
（１）電子カメラシステムは、被写体光Ｌをファインダー部へ導く第１光路（メインミラー４を反射して図１の上方へ進む光路）、および被写体光Ｌを撮像素子２０へ導く第２光路（図３の右方へ進む光路）を切替えるメインミラー４を備え、メインミラー４によって第２光路に切替えられた状態でモニタ用画像を液晶表示部２３にライブビュー表示させる。この場合に、ファインダー部の光路中に設けたアイピースシャッター２４でファインダー部の光路を遮光し、かつ第１光路に切替えている状態において、第１光路を通過する光を受光する測光用センサ１１で受光される信号を用いてライブビュー表示用の繰り返し撮像の開始時に必要な露出演算を行うようにした。これにより、接眼窓２６からの逆入光がファインダー部の測光用センサ１１へ回り込むことに起因する露出演算への悪影響を防止できる。つまり、ライブビュー表示開始時の画像の明るさが適正時に比べて暗くなることを防止できる。
【００６６】
（２）第１光路を通過する光を受光する測光用センサ１１を用いて取得したライブビューモードへの切替え直前の測光情報に基づいて、ライブビューモードへの切替え直後の撮像素子２０の露出条件を決定するようにした。これにより、液晶表示部２３へ表示させずに、被写体輝度情報を得る目的で撮像素子２０に予備的な撮像をさせる場合に比べて早くライブビュー画像の表示を開始させることができる。
【００６７】
（３）アイピースシャッター２４がファインダー部の光路を遮光してから第２光路へ切り替えるようにアイピースシャッター２４およびメインミラー４をそれぞれ駆動制御するようにしたので、第１光路に切替えられているうちに接眼窓２６からの逆入光を確実に阻止できる。
【００６８】
（４）ファインダー部の光路を遮光した後であって、第２光路へ切替える前の測光用センサ１１による受光信号を用いて露出演算を行うようにしたので、上記逆入光を排除した受光信号を用いて露出演算できるから、ライブビュー表示開始時のライブビュー画像を適切な明るさにできる。
【００６９】
（変形例１）
上述した実施形態では、測光用センサ１１による検出信号を用いて測光を行わせ（ステップＳ３０）、該測光結果に基づく被写体輝度およびレンズ情報を用いた演算によってライブビュー開始時に必要な撮像素子２０の露光条件（ライブビュー画像用の蓄積時間、撮像感度など）を決定するようにした。決定した露光条件は、ライブビュー表示の少なくとも１回目の撮像に用いる。なお、１回目の撮像に限らず、２回の撮像に対して用いるようにしても構わない。ステップＳ５０においてライブビュー表示を開始した後は、撮像素子２０からの撮像信号を用いた測光を行い（ステップＳ６０）、この測光結果に基づく被写体輝度情報を用いた演算によって以降のライブビュー表示に必要な撮像素子２０の露光条件（ライブビュー画像用の蓄積時間、撮像感度など）を決定する。
【００７０】
（変形例２）
アイピースシャッター２４を閉鎖する指示を送って所定時間が経過してから、第１光路を第２光路へ切り替えるようにメインミラー４を駆動制御してもよい。この場合の所定時間は、アイピースシャッター２４の閉鎖に要する時間に対応させる。変形例２の場合にも、第１光路に切替えられているうちに接眼窓２６からの逆入光を確実に阻止できる。
【００７１】
変形例２によれば、上記所定時間が経過した後であって、第２光路へ切替える前の測光用センサ１１による受光信号を用いて露出演算を行うので、上記逆入光を排除した受光信号を用いて露出演算できる。この結果、ライブビュー表示開始時のライブビュー画像を適切な明るさにできる。
【００７２】
（変形例３）
アイピースシャッター２４がファインダー部の光路を遮光後に測光用センサ１１による受光信号が減少してから、第１光路を第２光路へ切り替えるようにメインミラー４を駆動制御してもよい。測光用センサ１１の受光光に逆入光が含まれている場合にはアイピースシャッター２４が閉鎖すると測光用センサ１１による受光信号が減少する。受光信号の減少を待ってから第２光路へ切替え制御することで、第１光路に切替えられているうちに接眼窓２６からの逆入光を確実に阻止できる。
【００７３】
変形例３によれば、測光用センサ１１による受光信号が減少した後であって、第２光路へ切替える前の測光用センサ１１による受光信号を用いて露出演算を行うので、ライブビュー表示開始時のライブビュー画像を適切な明るさにできる。
【００７４】
（変形例４）
以上の説明では、ファインダー部の光路における光の通過／遮光をアイピースシャッター２４によって切替えるようにした。遮光時に接眼窓２６からの逆入光を阻止するものであれば、アイピースシャッター２４の代わりに液晶素子（たとえばＰＮ液晶）や、電圧の印加により可逆的に透過率を変動させることができる調光ミラー等によって構成しても構わない。なお、本発明においては測光用センサ１１に入射される逆入光レベルが悪影響を及ぼさないレベルまで抑制されていればよい。したがって、完全遮光でなくても逆入光を所定光量以下に減衰させる減光部材によって構成してもよい。
【００７５】
以上の説明はあくまで一例であり、上記の実施形態の構成に何ら限定されるものではない。
【図面の簡単な説明】
【００７６】
【図１】本発明の一実施の形態による一眼レフ電子カメラシステムの構成を説明する図である。
【図２】本発明の一実施の形態による一眼レフ電子カメラシステムの構成を説明する図である。
【図３】本発明の一実施の形態による一眼レフ電子カメラシステムの構成を説明する図である。
【図４】一眼レフ電子カメラシステムの回路構成を例示するブロック図である。
【図５】ＭＰＵが自動切替えモード時に実行する処理の流れを説明するフローチャートである。
【図６】撮影処理の流れについて説明するフローチャートである。
【図７】撮影処理の流れについて説明するフローチャートである。
【図８】ＭＰＵが手動切替え時に実行する処理の流れを説明するフローチャートである。
【符号の説明】
【００７７】
１…カメラ本体
２…鏡筒
８…接眼レンズ群
１１…測光用センサ
２０…撮像素子
２３…液晶表示部
２６…接眼窓
１０６…ＭＰＵ
１０８…ミラー駆動機構
１０９…操作部材
１１１…ＡＥ制御部
【図１】
2010074743.tif 000003
【図２】
2010074743.tif 000004
【図３】
2010074743.tif 000005
【図４】
2010074743.tif 000006
【図５】
2010074743.tif 000007
【図６】
2010074743.tif 000008
【図７】
2010074743.tif 000009
【図８】
2010074743.tif 000010